(57)【要約】【課題】組立時間を短縮して生産コストを減らすことができるなどの長所を有する小型固定子の巻線装置を提供する。【解決手段】小型固定子の巻線装置は、回転盤２０、横杆３０、支持杆４０及びガイドピン５０を備える。回転盤２０は、挟持部２２及び固定部２５を有する。挟持部２２は、孔部及び隙間を有する。隙間は、回転盤２０の側辺から孔部にかけて形成される。固定部２５は、回転盤２０の一端に設けられ、挟持部２２は、回転盤２０の他端に設けられ、固定部２５及び挟持部２２を介して巻線機と接続される。横杆３０は、接続セクション及び挟持アームを含む。接続セクションは、挟持部２２の孔部に固定される。挟持アームは、収納部により離間されて横杆３０と接続される。挟持アームは、横杆３０の一端に設けられ、接続セクションは、横杆３０の他端に設けられる。【選択図】図１
0003205437.tif 000002
【実用新案登録請求の範囲】
【請求項１】
回転盤、横杆、支持杆及びガイドピンを備えた小型固定子の巻線装置であって、
前記回転盤は、挟持部及び固定部を有し、前記挟持部は、孔部及び隙間を有し、前記隙間は、前記回転盤の側辺から孔部にかけて形成され、前記固定部は、前記回転盤の一端に設けられ、前記挟持部は、前記回転盤の他端に設けられ、前記固定部及び前記挟持部を介して巻線機と接続され、
前記横杆は、接続セクション及び挟持アームを含み、前記接続セクションは、前記挟持部の前記孔部に固定され、前記挟持アームは、収納部により離間されて前記横杆と接続され、前記挟持アームは、前記横杆の一端に設けられ、前記接続セクションは、前記横杆の他端に設けられ、
前記支持杆は、一端が前記横杆の収納部に挿入されて前記挟持アームにより固定され、他端が２つの挟持顎に接続され、前記２つの挟持顎間に空間が形成され、
前記ガイドピンは、前記２つの挟持顎の空間に一部が挿入されて固定されるとともに、金属線を案内して前記小型固定子のインナー巻線作業又はアウター巻線作業が行い得る中空状に形成され、
前記隙間は、前記回転盤に形成されたねじ孔と連通し、前記ねじ孔には、締付け具が螺入され、前記隙間の距離と前記孔部の直径とが縮小され、前記横杆の前記接続セクションが挟み込まれ、
前記挟持部には、位置規制溝が形成され、前記位置規制溝は、前記回転盤の前記孔部の壁面に形成され、前記接続セクションには、ピン孔が形成され、前記ピン孔には、ピンの一部が深く挿入され、前記ピンの残部が前記位置規制溝に挿入され、前記接続セクションが前記挟持部の前記孔部に挿入されると、前記回転盤に対して前記横杆が回転することを防ぎ、
前記支持杆には、位置決め溝が形成され、前記横杆の前記収納部に前記支持杆が挿入されると、前記収納部の壁に前記ピンが押付けられ、前記横杆に対して前記支持杆が回転することを防ぐことを特徴とする小型固定子の巻線装置。
【考案の詳細な説明】
【技術分野】
【０００１】
本考案は、モータ固定子の巻線技術に関するものであり、さらに詳しくは、小型でインナー巻き又はアウター巻きの固定子巻線装置に関するものである。
【背景技術】
【０００２】
使用目的のニーズに応じて様々なタイプのモータが開発されているが、それらは直流と交流との２種類に大別される。そのうち交流モータは、同期モータと非同期モータとにさらに分けられる。モータの種類に依り全体構造が異なるため、それぞれ異なる巻線技術を採用するとともに、それぞれに対応した巻線機械の設計を採用し、必要な効果を得る。
【０００３】
モータは、複数の巻線群を有する固定子を含む。各巻線群が固定子の外周に設けられたものをアウター巻固定子と称する。反対に、巻線群が固定子内に設けられたものをまとめてインナー巻固定子という。インナー巻固定子の内径は、複数の巻線群により囲まれて成形されるため、固定子の体積は正比例の関係にある。簡単に述べると、固定子の体積が大きい場合、その内径は大きく、固定子の体積が小さい場合、その内径は小さい。
【０００４】
従来、インナー巻又はアウター巻きの固定子巻線機は、手動又は半自動の巻線作業に使用される上、全自動巻線機がインナー巻又はアウター巻の固定子の巻線工程で広く使用され、導電の金属線を縦向きで往復運動させて巻線する。
【０００５】
しかし従来の巻線機を巻線の杆体に用いる場合、構造の関係上、一定の寸法範囲の固定子内径にしか出入りさせることができず、従来、小型の固定子の内径又は外径に出入りさせることができる巻線機はなかった。
【考案の概要】
【考案が解決しようとする課題】
【０００６】
従って、本考案の主な課題は、従来技術の小型固定子では全自動巻線作業を行うことができなかった問題点を改善し、組立時間を短縮して生産コストを減らすことが可能な小型固定子の巻線装置を提供することにある。
【課題を解決するための手段】
【０００７】
そこで、本考案者は、本考案の前記課題を解決するため鋭意検討を重ねた結果、後記の如く連動構造を利用し、直径が小さな杆体を組み合わせることにより、前記課題を解決できることに着目し、かかる知見に基いて本考案に想到するに至った。
すなわち、本考案の主な目的は、従来技術の小型固定子では全自動巻線作業を行うことができなかった問題点を改善するために、連動構造を利用し、直径が小さな杆体を組み合わせて組立時間を短縮して生産コストを減らすことができるなどの長所を有する小型固定子の巻線装置を提供することにある。
かくして、本考案の要旨は次の通りである。
回転盤、横杆、支持杆及びガイドピンを備えた小型固定子の巻線装置であって、
前記回転盤は、挟持部及び固定部を有し、前記挟持部は、孔部及び隙間を有し、前記隙間は、前記回転盤の側辺から孔部にかけて形成され、前記固定部は、前記回転盤の一端に設けられ、前記挟持部は、前記回転盤の他端に設けられ、前記固定部及び前記挟持部を介して巻線機と接続され、
前記横杆は、接続セクション及び挟持アームを含み、前記接続セクションは、前記挟持部の前記孔部に固定され、前記挟持アームは、収納部により離間されて前記横杆と接続され、前記挟持アームは、前記横杆の一端に設けられ、前記接続セクションは、前記横杆の他端に設けられ、
前記支持杆は、一端が前記横杆の収納部に挿入されて前記挟持アームにより固定され、他端が２つの挟持顎に接続され、前記２つの挟持顎間に空間が形成され、
前記ガイドピンは、前記２つの挟持顎の空間に一部が挿入されて固定されるとともに、金属線を案内して前記小型固定子のインナー巻線作業又はアウター巻線作業が行い得る中空状に形成され、
前記隙間は、前記回転盤に形成されたねじ孔と連通し、前記ねじ孔には、締付け具が螺入され、前記隙間の距離と前記孔部の直径とが縮小され、前記横杆の前記接続セクションが挟み込まれ、
前記挟持部には、位置規制溝が形成され、前記位置規制溝は、前記回転盤の前記孔部の壁面に形成され、前記接続セクションには、ピン孔が形成され、前記ピン孔には、ピンの一部が深く挿入され、前記ピンの残部が前記位置規制溝に挿入され、前記接続セクションが前記挟持部の前記孔部に挿入されると、前記回転盤に対して前記横杆が回転することを防ぎ、
前記支持杆には、位置決め溝が形成され、前記横杆の前記収納部に前記支持杆が挿入されると、前記収納部の壁に前記ピンが押付けられ、前記横杆に対して前記支持杆が回転することを防ぐことを特徴とする小型固定子の巻線装置。
【図面の簡単な説明】
【０００８】
【図１】図１は、本考案の一実施形態に係る小型固定子の巻線装置を示す組立図である。
【図２】図２は、本考案の一実施形態に係る小型固定子の巻線装置の回転盤を示す平面図である。
【図３】図３は、本考案の一実施形態に係る小型固定子の巻線装置の回転盤を示す側面図である。
【図４】図４は、本考案の一実施形態に係る小型固定子の巻線装置の横杆を示す側面図である。
【図５】図５は、本考案の一実施形態に係る小型固定子の巻線装置の横杆を示す端面図である。
【図６】図６は、本考案の一実施形態に係る小型固定子の巻線装置の支持杆を示す側面図である。
【図７】図７は、本考案の一実施形態に係る小型固定子の巻線装置の支持杆を示す平面図である。
【図８】図８は、本考案の一実施形態に係る小型固定子の巻線装置を別の角度から見たところを示す動作図である
【考案を実施するための形態】
【０００９】
図１を参照する。図１は、本考案の一実施形態に係る小型固定子の巻線装置を示す組立図である。図１に示すように、本考案の一実施形態に係る小型固定子の巻線装置は、少なくとも回転盤２０、横杆３０、支持杆４０及びガイドピン５０から構成されてなる。以下、図面に基づいて、各部材及び連結関係について詳細に説明する。
【００１０】
図１〜図３に示すように、回転盤２０は、略Ｌ字状を呈し、挟持部２２が頂端に設けられている。挟持部２２の中央部には、孔部２３が形成され、回転盤２０の側辺２３から孔部にかけて隙間２１が形成されている。回転盤２０の壁に形成されたねじ孔２８に締付け具１６（例えばねじ）が螺入され、隙間２１の距離と、孔部２３の直径とを縮小する。また挟持部２２には、２つの位置規制溝２４が形成され、各位置規制溝２４は、半径方向に沿って回転盤２０の孔部２３の壁面に形成される。
【００１１】
回転盤２０の底端には、固定部２５が設けられる。固定部２５には、凹溝２６及び４つの長孔２７が形成される。上述した凹溝２６は、固定部２５の二面のうちの一つに凹設され、回動機構１２に凹凸係合される。長孔２７は、２つで１対を構成する。２対の長孔２７は、回転盤２０にそれぞれ形成されて凹溝２６の両端部に並列され、締付け具１６（例えばねじ）が回動機構１２に締め付けられる。
【００１２】
上述した回動機構１２は、巻線機（図示せず）に取り付けられ、 自動制御システム（図示せず）を操作し、回動機構１２により回転盤２０の昇降動作を行うか、図１の水平位置と図８の縦向き位置との間で往復運動を行うことを決定する。
【００１３】
図１、図４、図５及び図８を参照する。図１、図４、図５及び図８に示すように、横杆３０は、接続セクション３４及び挟持アーム３１を有する。接続セクション３４は、横杆３０の一端に位置し、横杆３０の直径より僅かに小さい直径を有する。接続セクション３４は、２つのピン孔３５を有する。これら２つのピン孔３５は、垂直に交差し、接続セクション３４の軸心が挿通される。挟持部２２の孔部２３に接続セクション３４が挿入されると、長めのピン１４の一部が接続セクション３４の何れか一つのピン孔３５に深く挿入され、残部が位置規制溝２４に挿入されると、横杆３０が回転盤２０に対して回転することを防ぐことができる。
【００１４】
挟持アーム３１は、収納部３２により離間されて横杆３０と接続される。収納部３２は、２つの凹曲面により囲まれて形成された略円状の挟持空間を有し、ねじ孔３３が収納部３２に穿設され、挟持空間の軸心方向が２つのピン孔３５のうちの一つに対して垂直である。ねじ孔３３は、挟持アーム３１に穿設されて横杆３０に深く形成され、他の締付け具１６（例えばねじ）がねじ孔３３に螺入され、収納部３２の直径が縮小される。
【００１５】
図１、図６、図７及び図８を参照する。図１、図６、図７及び図８に示すように、支持杆４０は、位置決め溝４１及び２つの挟持顎４２を有する。こられ２つの挟持顎４２と支持杆４０の一端とは一体成形され、互いに離間されて略円状孔の空間４３が形成され、ガイドピン５０の一部が２つの挟持顎４２の空間４３中に配設される。各挟持顎４２に形成されたねじ孔４４には、締付け具１６（例えばねじ）が螺入され、２つの挟持顎４２の間隔距離を短縮してガイドピン５０を挟み込む。
【００１６】
位置決め溝４１は、支持杆４０の他端に形成され、他方の短めのピン１４を収容するために用いる。支持杆４０が横杆３０の収納部３２に挿入されると、挟持アーム３１は、横杆３０と組み合わせて支持杆４０を挟み込み、他方の短めのピン１４を収納部３２の壁に押付け、支持杆４０が横杆３０に対して回転することを防ぐ。
【００１７】
支持杆４０の直径が小さいため、小型固定子の内径からガイドピン５０を出し入れすることができる。ガイドピン５０は、中空状であり、１本の導電可能な金属線（図示せず）を案内し、小型固定子でインナー巻線又はアウター巻線の作業を行うことができる。
【符号の説明】
【００１８】
１０  巻線装置
１２  回動機構
１４  ピン
１６  締付け具
２０  回転盤
２１  隙間
２２  挟持部
２３  孔部
２４  位置規制溝
２５  固定部
２６  凹溝
２７  長孔
２８  ねじ孔
３０  横杆
３１  挟持アーム
３２  収納部
３３  ねじ孔
３４  接続セクション
３５  ピン孔
４０  支持杆
４１  位置決め溝
４２  挟持顎
４３  空間
４４  ねじ孔
５０  ガイドピン
【図１】
0003205437.tif 000003
【図２】
0003205437.tif 000004
【図３】
0003205437.tif 000005
【図４】
0003205437.tif 000006
【図５】
0003205437.tif 000007
【図６】
0003205437.tif 000008
【図７】
0003205437.tif 000009
【図８】
0003205437.tif 000010